(57)【要約】【課題】顧客からのＩＤカード作成依頼情報に基づいて、当該顧客の構成員のＩＤカードの新規発行をその枚数に係わらず迅速且つ安全に、低コストにて行うＩＤカード発行受託システムを提供する。【解決手段】ＩＤカードの発行を依頼する複数の顧客側データ処理装置と通信ネットワークを介して接続されたＩＤカード発行受託システムであって、顧客側データ処理装置の各々から顧客ＩＤコード、当該顧客に所属する各構成員の構成員ＩＤコード，各構成員の顔写真データ及び各構成員の属性データを少なくとも有するＩＤカード発行依頼情報を受信する受信手段と、受信手段が受信したＩＤカード発行依頼情報に応答する送信手段と、受信手段及び送信手段に接続され、各顧客の顧客情報と、ＩＤカード発行依頼情報と、当該ＩＩＤカード発行依頼情報に基づいて作成されたＩＤカード発行情報から成る情報を、顧客ＩＤコード毎に関連付けて記憶するデータベース手段と、顧客毎に前記ＩＤカード発行情報を記録した情報媒体を発行する情報記録媒体発行手段と、から構成される。【選択図】　図１
2004130566.tif 000002
【特許請求の範囲】
【請求項１】
ＩＤカードの発行を依頼する複数の顧客側データ処理装置と通信ネットワークを介して接続されたＩＤカード発行受託システムであって、
前記顧客側データ処理装置の各々から顧客ＩＤコード、当該顧客に所属する各構成員の構成員ＩＤコード，各構成員の属性データを少なくとも有するＩＤカード発行依頼情報を受信する受信手段と、
前記受信手段が受信した前記ＩＤカード発行依頼情報に応答する送信手段と、
前記受信手段及び前記送信手段に接続され、各顧客の顧客情報と、前記ＩＤカード発行依頼情報と、当該ＩＤカード発行依頼情報に基づいて作成されたＩＤカード発行情報から成る情報を、前記顧客ＩＤコード毎に関連付けて記憶するデータベース手段と、
前記顧客毎に前記ＩＤカード発行情報を記録した情報媒体を発行する情報記録媒体発行手段と、
から構成されたことを特徴とするＩＤカード発行受託システム。
【請求項２】
前記ＩＤカード発行依頼情報に基づいてＩＤカードを作成し発行するＩＤカード発行手段を、さらに具備する請求項１に記載のＩＤカード発行受託システム。
【請求項３】
前記ＩＤカードは、当該ＩＤカードを所持する前記構成員の顔写真をプリントすることを特徴とする請求項２に記載のＩＤカード発行受託システム。
【請求項４】
前記ＩＤカードは、ＩＣチップを搭載したＩＤカードであることを特徴とする請求項２に記載のＩＤカード発行受託システム。
【請求項５】
前記ＩＤカードのＩＣチップには、当該ＩＤカードを所有する構成員の前記構成員ＩＤコードの他、当該構成員の氏名、所属、地位、個人パスワード、年齢、履歴、資格、立入可能エリア範囲、アクセス可能なデータの等級又は範囲、食堂／販売店利用権、食堂／販売店累積利用金額等の属性データが、当該ＩＤ発行時又は発行後において記憶され、追記され又は更新されることを特徴とする請求項４に記載のＩＤカード発行受託システム。
【請求項６】
前記ＩＤカード発行依頼情報は、前記構成員の顔写真データを含むデジタルデータであることを特徴とする請求項１に記載のＩＤカード発行受託システム。
【請求項７】
各顧客に所属する構成員の顔写真データを含む前記ＩＤカード発行依頼情報を記録した光学記録媒体を読み取る光学記録読取手段を備え、
前記データベース手段は、前記通信ネットワークを介して受信した情報と共に前記光学記録媒体によって読み取られた情報を、前記顧客ＩＤコード毎に関連付けて記憶する請求項１に記載のＩＤカード発行受託システム。
【請求項８】
前記受信手段と前記送信手段は、ＴＣＰ／ＩＰに基づく通信ネットワークに接続可能な通信手段を構成し、
当該通信手段は、前記通信ネットワークを介してアクセスしてきた前記顧客側データ処理装置に対して、前記ＩＤカード発行依頼情報を受信するための画像情報（ホームページ）を提供する請求項１に記載のＩＤカード発行受託システム。
【請求項９】
前記ＩＤカード発行依頼情報は、前記受信手段が前記ＩＤカード発行依頼情報の受け付けを許可するための暗証データ（顧客パスワード）を含み、
前記受信手段は、前記ＩＤカード発行依頼情報に係る顧客ＩＤコードと前記暗証データ（顧客パスワード）が予め登録されているものと一致した時にのみ、当該前記ＩＤカード発行依頼情報を受け付けることを特徴とする請求項８に記載のＩＤカード発行受託システム。
【請求項１０】
前記通信手段と前記顧客側データ処理装置間は、予め定められた所定の暗号方式に基づくデータ処理を行って相互に情報を送受信することを特徴とする請求項８に記載のＩＤカード発行受託システム。
【請求項１１】
前記通信手段は、前記受信手段が前記通信ネットワークを介し受信した通信アクセスに対して、所定の制限を加えるファイア・ウォール機能を備えることを特徴とする請求項８に記載のＩＤカード発行受託システム。
【請求項１２】
前記通信手段と前記顧客側データ処理装置間は、プロバイダの接続ポイントを通さずに前記通信ネットワーク内をポイント・ツー・ポイントにより相互接続され、又は特定のサーバとのみ接続されることを特徴とする請求項８に記載のＩＤカード発行受託システム。
【請求項１３】
前記ＩＤカード発行情報を記録した情報媒体は、ＣＤ−ＲＯＭ又はＤＶＤであることを特徴とする請求項１に記載のＩＤカード発行受託システム。
【請求項１４】
前記ＩＤカード発行依頼情報には、ＩＤカードの作成を依頼する構成員の顔写真データが暗号化処理されてセキュアメールとして添付されていることを特徴とする請求項１に記載のＩＤカード発行受託システム。
【請求項１５】
前記ＩＤカード発行依頼情報に応答する送信手段は、不明確項目、ＩＤカード作成納期、ＩＤカード作成状況、ＩＤカード発送報告に関する情報を当該ＩＤカード発行依頼情報を送信した顧客側データ処理装置に提供することを特徴とする請求項１に記載のＩＤカード発行受託システム。
【請求項１６】
前記ＩＤカード発行手段は、ＵＶ硬化インクジェットプリンタを備え、その表面にインク受理層を有しないプラスチック表面に画像情報を印字したＩＤカードを発行する請求項２に記載のＩＤカード発行受託システム。
【請求項１７】
ＩＤカードの発行を依頼する複数の顧客側データ処理装置と通信ネットワークを介して接続されたＩＤカード発行受託システムにおけるＩＤカード発行受託方法であって、
前記顧客側データ処理装置の各々から顧客ＩＤコード、当該顧客に所属する各構成員の構成員ＩＤコード，各構成員の顔写真データ及び各構成員の属性データを少なくとも有するＩＤカード発行依頼情報を受信するステップと、
前記ＩＤカード発行依頼情報において不明確項目があった場合にはそれを問い合わせるステップと、
各顧客の顧客情報と、前記ＩＤカード発行依頼情報と、当該ＩＤカード発行依頼情報に基づいて作成されたＩＤカード発行情報から成る情報を、前記顧客ＩＤコード毎に関連付けて記憶するステップと、
前記ＩＤカード発行依頼情報に基づいてＩＤカードを作成するステップと、
前記ＩＤカードの作成が完了したことを前記通信ネットワークを介して依頼先顧客の顧客側データ処理装置に報告するステップと、
前記顧客毎に前記ＩＤカード発行情報を記録した情報媒体を発行するステップと、
の各ステップから構成されたことを特徴とするＩＤカード発行受託方法。
【請求項１８】
前記ＩＤカード発行依頼情報を受信するステップの後に、前記ＩＤカード発行依頼情報を受信するための画像情報（ホームページ）を提供するステップを有することを特徴とする請求項１７に記載のＩＤカード発行受託方法。
【請求項１９】
前記ＩＤカード発行依頼情報は、前記受信手段が前記ＩＤカード発行依頼情報の受け付けを許可するための暗証データ（顧客パスワード）を含み、
前記受信手段は、前記ＩＤカード発行依頼情報に係る顧客ＩＤコードと前記暗証データ（顧客パスワード）が予め登録されているものと一致するか否かを検証するステップを有し、一致した場合にのみ当該前記ＩＤカード発行依頼情報を受け付けることを特徴とする請求項１８に記載のＩＤカード発行受託方法。
【請求項２０】
前記顧客側データ処理装置から送信されるＩＤカード発行依頼情報間は、予め定められた所定の暗号方式に基づいて暗号化処理が施された情報であることを特徴とする請求項１８に記載のＩＤカード発行受託方法。
【請求項２１】
前記ＩＤカード発行依頼情報を受信するステップの後に、前記暗号化処理が施された情報を復号化するステップを有することを特徴とする請求項２０に記載のＩＤカード発行受託方法。
【発明の詳細な説明】
【０００１】
【発明の属する技術分野】
本発明は、企業や種々団体等の顧客から依頼されて当該顧客に所属する会社員や団体員等の構成員が所有するＩＤカードを迅速に且つ確実に受託し発行するためのＩＤカード発行受託システムに関する。
【０００２】
【従来の技術】
【特許文献１】特開平１１−８５９１９号公報
【特許文献２】特開２００２−１７８６７４号公報
企業、研究機関、大学、官庁等の団体においては、その社員、研究者、公務員等の各構成員（以下、「構成員」という）に対してＩＤカードを発行し、建物や敷地内の各所に設けられたＩＤカード読取装置によりＩＤカードを読み取ることにより、各構成員の建物や敷地内での移動範囲の制限、食堂や売店での物品購入金額等の精算、残業時間等を電子的に管理し、経営管理や情報管理の合理化に役立てるようになってきている。
【０００３】
ＩＤカードは、利用され始めた当初は、構成員を特定する構成員ＩＤコードを単に磁気的に記録した磁気カードやバーコードに記録したバーコードカードに当該カードを所持する構成員の顔写真を印刷したタイプのものが主流であったが、近年ＪＲ等の公共輸送手段の定期券として非接触型ＩＣチップを内蔵したＩＤカードが利用されるに至り、その低コスト化の進展、高機能、利便性の良さから会社や団体の構成員に配布されるＩＤカードも、ＩＣチップ（ＩＣメモリ）を搭載したタイプのものが広く利用されるようになった。
【０００４】
ＩＣチップを搭載したＩＤカードは、ＩＣチップ内に比較的多くのデータを記憶させることができるので、組織内の中央データ制御装置（サーバ等）にアクセスすることなく、組織内管理や各種データ処理を可能にできる大きな利点を有する。
【０００５】
また、情報技術の進展に伴って、各構成員が所属する企業や団体が有するデータベースへの社内ＬＡＮを介したアクセスにおいても、機密保持や企業秘密の外部への流出防止の観点から、構成員の所属や地位に応じてＩＣチップ内に記憶された当該構成員の属性データに基づいてアクセスできる情報に制限を加える場合もある。
【０００６】
このため、ＩＣチップを搭載したＩＤカードの需要は年々高まってきており、これを迅速に発行することが要求されてきている。しかし、ＩＤカードは、これを所持する者が正当な所持者（構成員）であることを視覚的に認識する必要性からＩＤカード上に所持者の顔写真を表示することや、ＩＣチップや当該ＩＣチップに接続されるアンテナ等をプラスチックカード内に密閉状態で長期間安定した状態になるように組み込む技術等その製造に高度の技術力を必要とすることから専門のＩＣカード製造業者にその製造を委託することとなる。
【０００７】
図７に示すように、特許文献１には、ＣＣＤカメラ１０１を有する撮像装置１０２によって撮像された顔写真データを、ファイリングシステム１０９を構成する光磁気ディスク１０７に登録しておき、過去発行したＩＤカードが紛失や破損によって喪失されても、カード発行システム１０６に送信されたデータを用いて、ＩＤカードの再発行を可能にするＩＤカード発行システムが開示されている。
【０００８】
また、図８に示すように、特許文献２には、運転免許の有効期限を更新する申請者にかかる手間及び時間を低減させるために、申請者側で用意した顔写真を記録した新たなＩＤカードを発行するために、免許証の更新を申請する申請者が更新申請端末２０２を介して免許証番号及び顔写真データを入力し、更新申請サーバ２０４にて免許証番号に基づいてホストコンピュータ２０３で管理する免許証番号を取得し、この免許証番号に顔写真データを合成した新たな運転免許証を印刷する印刷データを作成して当該印刷データに基づいて新たな運転免許書を作成するように構成されたＩＤカード更新システムが開示されている。
【０００９】
【発明が解決しようとする課題】
しかし、上記の特許文献１に開示されたＩＤカード発行システムは、ＩＤカードの再発行時に、新たに顔写真を撮ることなく過去のＩＤカード発行時に使用された顔写真データを光磁気ディスクから読み出してＩＤカードを再発行するものであって、複数の依頼者（顧客企業等）から依頼され、その構成員のＩＤカードを迅速に且つ安全に新規発行に又は追加発行するものではない。
【００１０】
また、特許文献２に開示されたＩＤカード更新システムも、申請者から提供された顔写真データを更新された新たな免許証に合成印字するものであって、複数の依頼者（顧客企業等）から依頼され、その構成員のＩＤカードを迅速に且つ安全に新規発行に又は追加発行するものではない。
【００１１】
本発明は、顔写真データ等の第三者に漏洩することが決して許されない個人情報を含むＩＤカード作成依頼情報を、複数の顧客から通信ネットワークを介して受信することにより、当該顧客の全構成員のＩＤカードの新規発行をその枚数に係わらず迅速且つ安全に、また低コストで提供するＩＤカード発行受託システムおよびその方法を提供することを目的とする。
【００１２】
本発明は、さらに、紛失又は破損したＩＤカードの発行はもとより、各顧客において新たに加わった構成員に対するＩＤカードの追加発行を迅速に且つ安全に提供するＩＤカード発行受託システムを提供することを目的とする。
【００１３】
そして、本発明に係るＩＤカード発行受託システムは、顧客毎に前記ＩＤカード発行情報を通信ネットワークを介して又はこれを記録したＣＤ−ＲＯＭ等の情報媒体によって顧客に提供することを可能にすることを目的とするものである。
【００１４】
【課題を解決するための手段】
本発明は、上記課題を達成するべく、ＩＤカードの発行を依頼する複数の顧客側データ処理装置と通信ネットワークを介して接続されたＩＤカード発行受託システムであって、前記顧客側データ処理装置の各々から顧客ＩＤコード、当該顧客に所属する各構成員の構成員ＩＤコード，各構成員の属性データを少なくとも有するＩＤカード発行依頼情報を受信する受信手段と、前記受信手段が受信した前記ＩＤカード発行依頼情報に応答する送信手段と、前記受信手段及び前記送信手段に接続され、各顧客の顧客情報と、前記ＩＤカード発行依頼情報と、当該ＩＤカード発行依頼情報に基づいて作成されたＩＤカード発行情報から成る情報を、前記顧客ＩＤコード毎に関連付けて記憶するデータベース手段と、前記顧客毎に前記ＩＤカード発行情報を記録した情報媒体を発行する情報記録媒体発行手段と、から構成されたことを特徴とするＩＤカード発行受託システムを提供するものである。
【００１５】
これにより、本発明に係るＩＤカード発行受託システムは、複数の顧客から依頼された新規又は追加のＩＤカード作成依頼をその枚数に係わらず迅速に、安全に、低コストで提供することを可能にしたのである。
【００１６】
ここで、本ＩＤカード発行受託システムは、前記ＩＤカード発行依頼情報に基づいてＩＤカードを作成し発行するＩＤカード発行手段を、さらに具備することを特徴とする。
【００１７】
ところで、本システムが発行するＩＤカードは、当該ＩＤカードを所持する前記構成員の顔写真をプリントし、ＩＣチップを搭載したＩＤカードであることを特徴とする。
【００１８】
また、本システムが発行するＩＤカードのＩＣチップには、当該ＩＤカードを所有する構成員の前記構成員ＩＤコードの他、当該構成員の氏名、所属、地位、個人パスワード、年齢、履歴、資格、立入可能エリア範囲、アクセス可能なデータの等級又は範囲、食堂／販売店利用権、食堂／販売店累積利用金額等の属性データが、当該ＩＤ発行時又は発行後において記憶され、追記され又は更新されることを特徴とする。
【００１９】
さらに、前記ＩＤカード発行依頼情報は、前記構成員の顔写真データを含めてデジタルデータであることを特徴とする。そして、各顧客に所属する構成員の顔写真データを含む前記ＩＤカード発行依頼情報を記録した光学記録媒体を読み取る光学記録読取手段を備え、前記データベース手段は、前記通信ネットワークを介して受信した情報と共に前記光学記録媒体によって読み取られた情報を、前記顧客ＩＤコード毎に関連付けて記憶するのである。
【００２０】
また、前記受信手段と前記送信手段は、ＴＣＰ／ＩＰに基づく通信ネットワークに接続可能な通信手段を構成し、当該通信手段は、前記通信ネットワークを介してアクセスしてきた前記顧客側データ処理装置に対して、前記ＩＤカード発行依頼情報を受信するための画像情報（ホームページ）を提供するのである。
【００２１】
ところで、前記ＩＤカード発行依頼情報は、前記受信手段が前記ＩＤカード発行依頼情報の受け付けを許可するための暗証データ（顧客パスワード）を含み、前記受信手段は、前記ＩＤカード発行依頼情報に係る顧客ＩＤコードと前記暗証データ（顧客パスワード）が予め登録されているものと一致した時にのみ、当該前記ＩＤカード発行依頼情報を受け付けるようにする、これにより、情報のセキュリティが維持されるのである。
【００２２】
さらに情報のセキュリティを向上させるべく、前記通信手段と前記顧客側データ処理装置間は、予め定められた所定の暗号方式に基づくデータ処理を行って相互に情報を送受信するようにしている。また、前記通信手段は、前記受信手段が前記通信ネットワークを介し受信した通信アクセスに対して、所定の制限を加えるファイア・ウォール機能を備えることを特徴とするものである。また、前記ＩＤカード発行依頼情報には、ＩＤカードの作成を依頼する構成員の顔写真データが暗号化処理されてセキュアメールとして添付されていることを特徴とする。
【００２３】
さらに、前記通信手段と前記顧客側データ処理装置間は、プロバイダの接続ポイントを通さずに前記通信ネットワーク内をポイント・ツー・ポイントにより相互接続され又は特定のサーバとのみ接続されるようにしてもよい。
【００２４】
ところで、前記ＩＤカード発行情報を記録した情報媒体は、ＣＤ−ＲＯＭ又はＤＶＤである。
【００２５】
本システムにおけるＩＤカード発行依頼情報に応答する送信手段は、不明確項目、ＩＤカード作成納期、ＩＤカード作成状況、ＩＤカード発送報告に関する情報を当該ＩＤカード発行依頼情報を送信した顧客側データ処理装置に提供する。これにより、顧客側と本システムは、共通のＩＤカード発行情報を共有することができる。
【００２６】
ところで、前記ＩＤカード発行手段は、ＵＶ硬化インクジェットプリンタを備え、その表面にインク受理層を有しないプラスチック表面に画像情報を印字したＩＤカードを発行することができるのである。
【００２７】
本発明は、さらに、ＩＤカードの発行を依頼する複数の顧客側データ処理装置と通信ネットワークを介して接続されたＩＤカード発行受託システムにおけるＩＤカード発行受託方法であって、前記顧客側データ処理装置の各々から顧客ＩＤコード、当該顧客に所属する各構成員の構成員ＩＤコード，各構成員の顔写真データ及び各構成員の属性データを少なくとも有するＩＤカード発行依頼情報を受信するステップと、前記ＩＤカード発行依頼情報において不明確項目があった場合にはそれを問い合わせるステップと、各顧客の顧客情報と、前記ＩＤカード発行依頼情報と、当該ＩＤカード発行依頼情報に基づいて作成されたＩＤカード発行情報から成る情報を、前記顧客ＩＤコード毎に関連付けて記憶するステップと、前記ＩＤカード発行依頼情報に基づいてＩＤカードを作成するステップと、前記ＩＤカードの作成が完了したことを前記通信ネットワークを介して依頼先顧客の顧客側データ処理装置に報告するステップと、前記顧客毎に前記ＩＤカード発行情報を記録した情報媒体を発行するステップと、の各ステップから構成されたことを特徴とするＩＤカード発行受託方法を提供するものである。
【００２８】
そして、前記ＩＤカード発行依頼情報を受信するステップの後に、前記ＩＤカード発行依頼情報を受信するための画像情報（ホームページ）を提供するステップを有するのである。
【００２９】
ここで、前記ＩＤカード発行依頼情報は、前記受信手段が前記ＩＤカード発行依頼情報の受け付けを許可するための暗証データ（顧客パスワード）を含み、前記受信手段は、前記ＩＤカード発行依頼情報に係る顧客ＩＤコードと前記暗証データ（顧客パスワード）が予め登録されているものと一致するか否かを検証するステップを有し、一致した場合にのみ当該前記ＩＤカード発行依頼情報を受け付けることを特徴とすることにより本システムに対する通信アクセスのセキュリティの向上をはかっている。このため、前記顧客側データ処理装置から送信されるＩＤカード発行依頼情報間は、予め定められた所定の暗号方式に基づいて暗号化処理が施された情報であり、前記ＩＤカード発行依頼情報を受信するステップの後に、前記暗号化処理が施された情報を復号化するステップを有することを特徴とするのである。
【００３０】
【発明の実施の形態】
以下、本発明に係るＩＤカード発行受託システム及びその方法の詳細を、図面の記載に基づいて説明する。
【００３１】
図１は、本発明に係るＩＤカード発行受託システムの全体構成の例を示すものである。
【００３２】
図１において、この例の通信ネットワークは、ＩＰパケットを伝送するＴＣＰ／ＩＰ通信ネットワーク（適宜、インターネットと記載する）である。
【００３３】
図１において、デジタル固定通信網１にゲートウェイ装置（図示せず）で接続されたデジタル移動通信網２（この二つの通信網を適宜、通信回線網と表記する）を有している。デジタル移動通信網２は、例えば、ＰＤＣ（Ｐｅｒｓｏｎａｌ　ＤｉｇｉｔａｌＣｅｌｌｕｌａｒ　Ｔｅｌｅｃｏｍｍｕｎｉｃａｔｉｏｎ　Ｓｙｓｔｅｍ）方式、コードレス電話（ＰＨＳ：Ｐｅｒｓｏｎａｌ　Ｈａｎｄｙｐｈｏｎｅ　Ｓｙｓｔｅｍ）方式であり、セル基地局２ａの無線区間に多数の携帯端末３（携帯電話機や小型情報端末（ＰＤＡ））が収容されており、この携帯端末３は、ＩＤカード発行依頼情報を、通信回線網（インターネット）を通じて依頼するために使用される。
【００３４】
また、デジタル固定通信網１に顧客側データ処理装置装置４（以下、適宜「小型汎用コンピュータ４」という）が接続されており、この小型汎用コンピュータ４も、携帯端末３と同様に使用される。さらに、デジタル固定通信網１にはＩＤカード発行受託システム５が接続されている。ＩＤカード発行受託システム５が、多数の顧客からのデジタルデータによるＩＤカード発行依頼情報を受信して、顧客ＩＤカード発行に関する受託業務をインターネット上で実行する。
【００３５】
送受信される情報の機密を保護するためにＩＤカード発行受託システム５とデジタル固定通信網１の間には、ファイア・ウォール９、ＳＳＬ　Ａｃｃｅｌｅｒｔｏｒ１０が配設されている。
【００３６】
なお、ＩＤカード発行受託システム５は、インターネットアクセスが可能なオペレーティングシステム（ＯＳ）を搭載している。
【００３７】
また、図１に示す通信ネットワーク構成は一例であり、多様な構成が可能である。公開性を有したＴＣＰ／ＩＰネットワークではなく、閉鎖通信ネットワーク、例えば、イントラネット（ＬＡＮ）などでも、以下と同様の処理が可能である。また、複数の企業・組織を接続するネットワーク、すなわち、エキストラネット（ＷＡＮ）でも、以下と同様の処理が可能である。
【００３８】
図２は、図１中のＩＤカード発行受託システム５を説明するためのブロック図である。
【００３９】
図２において、このＩＤカード発行受託システム５は、ハブ装置やデジタル終端接続装置（ＤＳＵ）及び侵入防止用のファイアウォールアプリケーションを実装した図示しないルータなどで構成される回線接続装置２０を通じて、ウェブサーバ２１がインターネット通信処理を実行し、データ送受信サーバ２２が各種データの送受信（ダウンロード・アップロード）を実行する（受信手段、送信手段）。
【００４０】
そして、図示しないクライアント証明書サーバが、ウェブサーバ２１へ接続に来た端末の認証を行う。また、ＩＤカード発行受託システム５は、内部のＳＳＬサーバ２４がデータ転送における暗号化通信プロトコル（ＳＳＬ：Ｓｅｃｕｒｅ　Ｓｏｃｋｅｔｓ　Ｌａｙｅｒ）を実行する。
【００４１】
さらに、「ＩＤカード発行受託」にかかる各種データを、データベース（Ｄ／Ｂ）サーバ２５の制御でデータベース装置２６に格納し、又は読み出している（データベース手段）。
【００４２】
また、このＩＤカード発行受託システム５には、インタフェース（Ｉ／Ｆ部）２９を通じて「ＩＤカード発行受託」に関するデータ送信やデータ受信をローカルエリアネットワーク（ＬＡＮ）によって制御・管理できる。
【００４３】
さらに、顧客からの依頼により各顧客に所属する構成員の顔写真データを含む前記ＩＤカード発行依頼情報をＣＤ−ＲＯＭ７上に作成し、作成した構成員ＩＤカード発行依頼情報を光学記録媒体（ＣＤ−ＲＯＭ７、ＤＶＤ）に書き込み又は読み取りを行うＣＤ−ＲＯＭ作成ユニット８が設続されている（光学記録読取手段）。
【００４４】
また、ＩＤカード４５を発行するためのＩＤカード生産ユニット４０が設続されている（ＩＤカード発行手段）。このＩＤカード生産ユニット４０は、ＩＤカード４５に搭載されたＩＣチップにＩＤカード発行受託システム５が作成した構成員のＩＤカード情報を書き込む機能と、ＩＤカード４５の表面に所定の情報及び画像を印字する機能を有している。
【００４５】
このＩＤカード発行受託システム５は、通信プロトコルや制御プログラムを情報記録媒体から読み出して各サーバにインストールするための図示しないドライブ装置が設けられている。
【００４６】
ＩＤカード発行受託システム５は、特に図２の構成に限定されない。その処理データ量やトラヒック量によって、単体の汎用コンピュータ（サーバ）のみで構成することも可能である。
【００４７】
図１中の携帯端末３は、その構成及び動作が既知である。例えば、周波数切替シンセサイザ、受信電界強度（ＲＳＳＩ）検出部を備えた無線送受信部、変調／復調部、時分割／多重分離部、コーデック（符号化／復号化）部、送話用マイクロホンと受話用スピーカ及びマイクロプロセッサ、着信表示発光ダイオードや液晶デスプレイなどの表示部、入力操作部とを備えたＰＤＣ方式、ＰＨＳ方式が既知である。なお、この携帯端末３は、インターネット通信が可能な専用のオペレーティングシステム（ＯＳ）、例えば、専用のＨＴＭＬタグで記述したインターネットアクセスが可能なＯＳを搭載している。
【００４８】
図１中の小型汎用コンピュータ（顧客側データ処理装置）４の構成及び動作も、いわゆる、パーソナルコンピュータとして既知である。小型汎用コンピュータ４は、ＣＤ−ＲＯＭ７の読取書込み装置を接続した構成であってもよい。ＩＤカード発行依頼者は、ＣＤ−ＲＯＭ７によるＩＤカード発行依頼をＩＤカード発行受託システム５に対して行うことも可能である。
【００４９】
この小型汎用コンピュータ４もインターネットアクセスが可能なオペレーティングシステム（ＯＳ）を搭載している。
【００５０】
ここで、ＩＤカード発行受託システム５の構成と動作について説明する。以降の説明は、デジタル通信回線に接続された顧客側データ処理装置４とＩＤカード発行受託システム５がインターネット使用により行うＩＤカード発行例について説明する。
【００５１】
図３は、顧客側データ処理装置４の表示画面に表示するＩＤカード発行依頼画面例を示す。
【００５２】
図４は、顧客側データ処理装置４の表示画面に表示するＩＤカード発行依頼情報入力画面例を示す。
【００５３】
まず、予めＩＤカード発行受託システム５は、顧客から最初のＩＤカード発行依頼があった時点で、当該顧客及びその構成員に対して個々のＩＤコード、パスワードを設定して記憶する。尚、パスワードは所定の時に変更可能である。
【００５４】
ＩＤカード４５の発行を依頼する顧客は、ＩＤカード発行依頼情報を各顧客側データ処理装置４から通信回線を介して送信する。ここで、ＩＤカード発行依頼は、顧客が作成した情報媒体であるＣＤ−ＲＯＭ７により依頼しても、ＩＤカード発行依頼情報用紙等に基づきＩＤカード発行センターがＣＤ−ＲＯＭ７化を行うよう依頼するようにしてもよい。また、この情報媒体はＤＶＤであってもよい。
【００５５】
顧客がインターネットでＩＤカード発行依頼を行う場合、ＩＤカード発行受託システム５は、図３に示すように、顧客がＩＤカード発行依頼を行うための画像情報（ホームページ）を顧客側データ処理装置４に提供する。
【００５６】
先ず、ＩＤカード発行依頼画面５０のＩＤコード項目５１とパスワード項目５２にＩＤコード及びパスワードを入力する。ＩＤカード発行受託システム５は、受信した顧客ＩＤコード及びパスワードと、予めデータベース装置２６に記憶されている顧客ＩＤコード及びパスワードとを比較しアクセスが許可された顧客であることを検証する。比較された結果、正しいアクセスが許可された顧客であること判定されると、顧客は「メインメニュー」に表示された処理項目を選択する。例えば、新規発行依頼項目５３を選択する。
【００５７】
ここで、ＩＤカード発行受託システム５は、顧客側データ処理装置４にＩＤカード発行依頼情報入力画面６０を提供する。ＩＤカード発行依頼情報をＩＤカード発行依頼入力画面の入力指示にしたがって入力する。
【００５８】
入力されたＩＤカード発行依頼情報は、顧客側データ処理装置４からＩＤカード発行受託システム５に送信されるが、例えば、顧客側データ処理装置４により暗号化されＩＤカード発行受託システム５に送信されることが好ましい。ＩＤカード発行依頼情報を受信したＩＤカード発行受託システム５は、ＩＤカード発行依頼情報が暗号化されている場合は復号化（デコード）してデータベース装置に顧客ＩＤコード毎に関連付けて記憶する。
【００５９】
ＩＤカード発行依頼情報は、顧客ＩＤコード、ＩＤカード４５を所有する構成員の構成員ＩＤコードの他、当該構成員の氏名、所属、地位、個人パスワード、年齢、履歴、資格、立入可能エリア範囲、アクセス可能なデータの等級又は範囲、食堂／販売店利用権、食堂／販売店累積利用金額等の属性データである。これらのデータは、当該ＩＤ発行時又は発行後において記憶され、追記され又は更新される。
【００６０】
さらに、ＩＤカード発行依頼情報に顔写真のデジタルデータが含まれる場合等、通常のデジタル情報より高いセキュリティー性が求められる情報の送信には、セキュアメールシステムを使用することも可能であり高度のセキュリティーを保護することが可能となる。
【００６１】
尚、顔写真データは多量のデータ量であるため構成員ＩＤコードに関連付けた顔写真だけを予めＩＤカード発行受託システム５に送信しデータベースに記憶しておくことも可能である。これにより、送信するＩＤカード発行依頼情報のデータ量を少なくするので伝送時間が削減可能となる。
【００６２】
次に、ＩＤカード発行依頼情報に基づいて、顧客の構成員のＩＤカード４５を発行する。ＩＤカード発行受託システム５は、構成員ＩＤカード４５に搭載されたＩＣチップに構成員毎の複数の属性データを記憶させると共に、ＩＤカード４５の表面に特定の情報を印刷する。
【００６３】
図５は、社員証例としてＩＤカード４５の平面図を示す。図５に示すように、ＩＤカード４５の表面には、構成員の顔写真と、構成員のＩＤコード、氏名、所属、地位等の構成員を証明する限定された情報が印刷されている。さらに、ＩＤカード４５には、構成員の属性データが記憶されるＩＣチップ７０が搭載されている。このＩＤカード４５はプラスチック等の樹脂で形成されている。
【００６４】
ＩＤカード４５に搭載されたＩＣチップ７０には、ＩＤカード４５を所有する構成員の構成員ＩＤコードの他、当該構成員の氏名、所属、地位、個人パスワード、年齢、履歴、資格、立入可能エリア範囲、アクセス可能なデータの等級又は範囲、食堂／販売店利用権、食堂／販売店累積利用金額等の属性データが記憶されている。
【００６５】
ＩＤカード発行受託システム５は、データベース装置２６の該当する構成員ＩＤコードに関連付けて記憶されているＩＤカード情報を呼び出し、ＩＤカード生産ユニット４０に送信する。ＩＤカード生産ユニット４０は、セットされているＩＤカード４５のＩＣチップ７０に所定の情報を書込み記憶させる。さらに、ＩＤカード発行受託システム５は、データベース装置２６に記憶されている当該構成員のＩＤカード情報の中から印字に必要な所定の項目を選択してＩＤカード生産ユニット４０に送信する。ＩＤカード生産ユニット４０は、送信された印字情報をＩＤカード４５の表面に印字する。ＩＤカード生産ユニット４０は、少量生産用のＩＤカード生産ユニット４０と、大量、中量のＩＤカードを生産するＩＤカード生産ユニット４０を併用して使用するようにしてもよい。
【００６６】
ＩＤカード４５の再発行についてもネットワークを介して行うことが出来る。変更を依頼する顧客はＩＤカード発行依頼（メインメニュー）画面５０を呼び出しメインメニュー画面５０の「再発行依頼」を指定して、再発行依頼画面（図示せず）から再発行を依頼する。再発行の時は、再発行回数等のチェック項目を設け、再発行条件に該当しない場合は再発行しないようにすることも可能である。
【００６７】
顧客からの依頼によるＩＤカード４５の再発行は、ＩＤカード発行受託システム５のデータベース装置２６に記憶されている当該構成員のＩＤカード作成データを読み出してカード生産ユニット４０によりＩＤカード４５を作成して再発行する。又は、ＩＤカード作成情報が記憶されているＣＤ−ＲＯＭ７等の情報媒体から該当するＩＤカード作成依頼情報を読み出してカード生産ユニット４０によりＩＤカード４５を作成して再発行する。
【００６８】
ＩＤカード４５の再発行においては、再発行日、再発行理由、再発行回数等の再発行により発生した情報はデータベース装置２６に記憶されている。これにより、不当に度重なる再発行などの不正なＩＤカード４５の発行を管理することが可能となる。
【００６９】
さらに、ＩＤカード４５の発行依頼情報からの削除についても変更処理と同様にメインメニューからの指示により行うことが出来る。
【００７０】
ＩＤカード４５に記憶されている所定の情報変更（例えば、所属の変更等）もその処理項目である「変更・追加」をメインメニュー画面から選択する。表示された変更画面から変更する箇所の情報を入力しＩＤカード発行受託システム５に送信することにより変更可能である。変更された新しいＩＤカード４５の発行が必要の場合は、カード生産ユニット４０によりＩＤカード４５を作成して再発行する。
【００７１】
ＩＤカード４５の表面への印字は、昇華転写プリント若しくは熱溶融転写プリント、又はその両者を組み合わせたものが一般的である。使用するインキは、染料系インキ、顔料系インキ共に印字対象面に一定の受理層を加工することが前提になっている。
【００７２】
そこで、本発明における、ＩＤカード生産ユニット４０での印字は、ＵＶ（紫外線）硬化インクを使用するＵＶ（紫外線）硬化インクジェットプリンタを備えている。この印字方式は、印字面にインク受理層の加工を必要とせず加工工程が簡略化されるだけでなく、耐久性、耐溶剤性、耐光性に優れている。
【００７３】
ＩＤカード生産ユニット４０は、ＩＤカード４５の作成が１枚終了する毎に作成終了情報をＩＤカード発行受託システム５に送信する。ＩＤカード発行受託システム５は、ＩＤカード発行情報をデータベース装置２６に記憶する。
【００７４】
顧客から作成依頼を受けた全てのＩＤカード４５の作成が終了すると、ＩＤカード発行受託システム５は、顧客側データ処理装置４に完了を報告すると共に、データベース装置２６に記憶された情報を処理して顧客毎にＩＤカード発行実績報告を作成する。また、顧客毎に前記ＩＤカード発行情報を記録した情報媒体（ＣＤ−ＲＯＭ７又はＤＶＤ）を作成する。
【００７５】
さらに、ＩＤカード発行受託システム５は、各種の報告書の作成が可能である。例えば、納期回答報告書、作業進捗状況報告書、発送報告書、請求書等の作成が可能である。
【００７６】
本発明のＩＤカード発行受託システム５によれば、少量の例えば１枚のＩＤカード発行であっても、複数枚のＩＤカードの発行であっても自由に対応可能である。
【００７７】
図６は、本発明に係るＩＤカード発行受託システムの処理方法のフローチャート例を示すものである。ＩＤカード４５の発行を依頼する複数の顧客側データ処理装置４と通信ネットワークを介して接続されたＩＤカード発行受託システム５におけるＩＤカード発行受託方法を説明する。
【００７８】
先ず、ＩＤカード発行受託システム５は、顧客側データ処理装置４の各々から顧客ＩＤコード、当該顧客に所属する各構成員の構成員ＩＤコード，各構成員の顔写真データ及び各構成員の属性データを少なくとも有するＩＤカード発行依頼情報を受信する（ＳＴ１）。
【００７９】
受信したＩＤコード、パスワードを検証する（ＳＴ２）。受信したＩＤコード、パスワードが正しいことが検証されると依頼項目を確認する（ＳＴ３）。
【００８０】
ＩＤカード発行依頼情報において不明確項目があった場合にはそれを問い合わせる（ＳＴ８）。
【００８１】
各顧客の顧客情報と、ＩＤカード発行依頼情報と、当該ＩＤカード発行依頼情報に基づいて作成されたＩＤカード発行情報から成る情報を、顧客ＩＤコード毎に関連付けて記憶する（ＳＴ４）。
【００８２】
ＩＤカード発行依頼情報に基づいてＩＤカード４５を作成する（ＳＴ５）。
【００８３】
ＩＤカード４５の作成が完了したことを通信ネットワークを介して依頼先顧客の顧客側データ処理装置に報告する（ＳＴ６）。
【００８４】
顧客毎に前記ＩＤカード発行情報を記録した情報媒体を発行する（ＳＴ７）。
【００８５】
【発明の効果】
以上の説明から明らかなように、本発明は、ＩＤカードの発行を依頼する複数の顧客側データ処理装置と通信ネットワークを介して接続されたＩＤカード発行受託システムであって、顧客側データ処理装置の各々から顧客ＩＤコード、当該顧客に所属する各構成員の構成員ＩＤコード，各構成員の属性データを少なくとも有するＩＤカード発行依頼情報を受信する受信手段と、受信手段が受信したＩＤカード発行依頼情報に応答する送信手段と、受信手段及び送信手段に接続され、各顧客の顧客情報と、ＩＤカード発行依頼情報と、当該ＩＤカード発行依頼情報に基づいて作成されたＩＤカード発行情報から成る情報を、顧客ＩＤコード毎に関連付けて記憶するデータベース手段と、顧客毎に前記ＩＤカード発行情報を記録した情報媒体を発行する情報記録媒体発行手段と、から構成されたことを特徴とするＩＤカード発行受託システムを提供するものである。
【００８６】
これにより、本発明に係るＩＤカード発行受託システムは、複数の顧客から依頼された新規又は追加のＩＤカード作成依頼をその枚数に係わらず迅速に、安全に、低コストで提供することを可能にした。
【００８７】
さらに、本発明は、顔写真データ等の第三者に漏洩することが決して許されない個人情報を含むＩＤカード作成依頼情報を、複数の顧客から通信ネットワークを介して受信することにより、当該顧客の全構成員のＩＤカードの新規発行をその枚数に係わらず迅速且つ安全に、また低コストで提供するＩＤカード発行受託システムおよびその方法を提供することが出来た。
【００８８】
また、本発明は、紛失又は破損したＩＤカードの発行はもとより、各顧客において新たに加わった構成員に対するＩＤカードの追加発行を迅速に且つ安全に提供するＩＤカード発行受託システムを提供することが可能となった。
【図面の簡単な説明】
【図１】本発明に係るＩＤカード発行受託システムの全体構成の例を示す。
【図２】図１に示したＩＤカード発行受託システムの構成を説明するためのブロック図を示す。
【図３】顧客側データ処理装置の表示画面に表示するＩＤカード発行依頼画面例を示す。
【図４】顧客側データ処理装置の表示画面に表示するＩＤカード発行依頼情報入力画面例を示す。
【図５】本発明に係る社員証例としてＩＤカードの平面図を示す。
【図６】本発明に係るＩＤカード発行受託システムの処理方法のフローチャート例を示すものである。
【図７】従来例における、ＩＤカード発行システムの構成を示すブロック図である。
【図８】従来例における、運転免許証更新システムの構成を示すブロック図である。
【符号の説明】
１　デジタル固定通信網
２　デジタル移動通信網
４　顧客側データ処理装置装置
５　ＩＤカード発行受託システム
７　ＣＤ−ＲＯＭ
８　ＣＤ−ＲＯＭ作成ユニット
９　ファイア・ウォール
１０　ＳＳＬ　Ａｃｃｅｌｅｒｔｏｒ
２６　データベース装置
４０　ＩＤカード生産ユニット
４５　ＩＤカード
７０　ＩＣチップ
【図１】
2004130566.tif 000003
【図２】
2004130566.tif 000004
【図３】
2004130566.tif 000005
【図４】
2004130566.tif 000006
【図５】
2004130566.tif 000007
【図６】
2004130566.tif 000008
【図７】
2004130566.tif 000009
【図８】
2004130566.tif 000010